(57)【要約】【課題】光ファイバケーブル分岐構造体において、光ファイバケーブルの分岐作業をより容易にすることである。【解決手段】光ファイバケーブルのシースを所定範囲にわたって除去し、スロット溝の溝内から取り出した光ファイバ集合心線に含まれる複数の光ファイバ心線を分岐した光ファイバケーブル分岐構造体７０は、シースを除去した部分のケーブルコアに取り付けられた分岐具本体３２と、分岐具本体の表面側を覆う保護蓋３４とを備え、分岐具本体は、ケーブルコアを挿入して分岐具本体を取り付けるケーブルコア挿入溝と、ケーブルコア挿入溝の溝内から表面側へ複数の光ファイバ心線を誘導する誘導スリットと、表面側へ誘導された複数の光ファイバ心線を個別に区分けする光ファイバ隔壁を並列して配置した区画部と、誘導スリットから区画部へ複数の光ファイバ心線を誘導し、区画部側が次第に広くなる誘導部と、を有する分岐具３０を備える。【選択図】図１８
2010243836.tif 000002
【特許請求の範囲】
【請求項１】
光ファイバケーブルのシースを所定範囲にわたって除去し、前記シースを除去した部分のケーブルコアにケーブル方向に形成されたスロット溝の溝内から取り出した光ファイバ集合心線に含まれる複数の光ファイバ心線を分岐した光ファイバケーブル分岐構造体であって、
前記シースを除去した部分のケーブルコアに取り付けられ、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側の一端に設けられ、前記ケーブルコア挿入溝の溝内から前記表面側へ前記複数の光ファイバ心線を誘導する誘導スリットと、前記表面側に設けられ、前記表面側へ誘導された複数の光ファイバ心線を個別に区分けする光ファイバ隔壁を並列して配置した区画部と、前記誘導スリットから前記区画部へ複数の光ファイバ心線を誘導し、前記区画部側が次第に広くなる誘導部と、を有する光ファイバケーブル用分岐具を備えることを特徴とする光ファイバケーブル分岐構造体。
【請求項２】
請求項１に記載の光ファイバケーブル分岐構造体であって、
前記スロット溝の溝内から取り出した光ファイバ集合心線から分岐され、前記ケーブルコア挿入溝の溝内から表面側へ前記誘導スリットで誘導され、前記誘導部で前記区画部へ誘導され、前記区画部で個別に区分けされた後、前記分岐具本体の外側へ引き出された複数の光ファイバ心線と、前記分岐具本体の外側へ引き出された複数の光ファイバ心線を被覆して保護する保護チューブと、前記保護チューブを被覆した複数の光ファイバ心線の先端に取り付けられる外皮把持コネクタと、を有する複数の分岐光ファイバ線を備えることを特徴とする光ファイバケーブル分岐構造体。
【請求項３】
光ファイバケーブルを光ファイバケーブル用分岐具で分岐する光ファイバケーブル分岐方法であって、
光ファイバケーブルのシースを剥がした後、剥がしたシースの所定範囲を除去し、前記シースを剥がした部分のケーブルコアにケーブル方向に形成されたスロット溝の溝内から光ファイバ集合心線を取り出し、前記剥がしたシースの所定範囲を除去した残部を前記シースを剥がした部分のケーブルコアに被せ、前記光ファイバ集合心線に含まれる複数の光ファイバ心線を分岐する工程と、
前記光ファイバケーブル用分岐具は、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを剥がした部分のケーブルコアを挿入して前記分岐具本体を取り付けるケーブルコア挿入溝と、前記表面側の一端に設けられ、前記ケーブルコア挿入溝の溝内から前記表面側へ前記複数の光ファイバ心線を誘導する誘導スリットと、前記表面側に設けられ、前記表面側へ誘導された複数の光ファイバ心線を個別に区分けする複数の光ファイバ隔壁を並列して配置した区画部と、前記誘導スリットから前記区画部へ複数の光ファイバ心線を誘導し、前記区画部側が次第に広くなる誘導部と、を有し、
前記シースを除去した部分のケーブルコアを前記ケーブルコア挿入溝に挿入して前記分岐具本体を取り付け、前記複数の光ファイバ心線を前記ケーブルコア挿入溝の溝内から表面側へ前記誘導スリットで誘導し、表面側へ誘導された複数の光ファイバ心線を前記誘導部で前記区画部へ誘導し、前記区画部へ誘導された光ファイバ心線を前記光ファイバ隔壁で個別に区分けした後、前記分岐具本体の外側へ引き出す工程と、
前記分岐具本体の外側へ引き出された複数の光ファイバ心線に保護チューブを被覆する工程と、
前記分岐具本体の表面側に、前記保護蓋を取り付ける工程と、
前記保護チューブを被覆した複数の光ファイバ心線の先端に外皮把持コネクタを取り付ける工程と、
を備えることを特徴とする光ファイバケーブル分岐方法。
【請求項４】
光ファイバケーブルのシースを所定範囲にわたって除去し、前記シースを除去した部分のケーブルコアにケーブル方向に形成されたスロット溝の溝内から取り出した光ファイバ集合心線に含まれる複数の光ファイバ心線を分岐する光ファイバケーブル用分岐具であって、
表面側を凹状に形成した分岐具本体と、
前記分岐具本体に着脱可能に設けられ、前記分岐具本体の表面側を覆う保護蓋と、
を備え、
前記分岐具本体は、
背面側に設けられ、前記シースを除去した部分のケーブルコアを挿入して前記分岐具本体を取り付けるケーブルコア挿入溝と、
前記表面側の一端に設けられ、前記ケーブルコア挿入溝の溝内から前記表面側へ前記複数の光ファイバ心線を誘導する誘導スリットと、
前記表面側に設けられ、前記表面側へ誘導された複数の光ファイバ心線を個別に区分けする光ファイバ隔壁を並列して配置した区画部と、
前記誘導スリットから前記区画部へ複数の光ファイバ心線を誘導し、前記区画部側が次第に広くなる誘導部と、
を有していることを特徴とする光ファイバケーブル用分岐具。
【請求項５】
請求項４に記載の光ファイバケーブル用分岐具であって、
前記ケーブルコア挿入溝は、前記ケーブルコア挿入溝内に凸状に形成され、前記スロット溝に挿入されて前記分岐具本体を位置決めする位置決め凸部を有することを特徴とする光ファイバケーブル用分岐具。
【請求項６】
請求項４または５に記載の光ファイバケーブル用分岐具であって、
前記分岐具本体は、前記分岐具本体の両端に設けられ、前記シースを除去した部分のケーブルコアに前記分岐具本体を固定する締結具を取り付ける締結具取り付け部を有することを特徴とする光ファイバケーブル用分岐具。
【発明の詳細な説明】
【技術分野】
【０００１】
本発明は、光ファイバケーブルの中間後分岐に用いられる光ファイバケーブル分岐構造体、光ファイバケーブル分岐方法及び光ファイバケーブル用分岐具に関し、特に、屋内に敷設される光ファイバケーブルの分岐に用いられる光ファイバケーブル分岐構造体、光ファイバケーブル分岐方法及び光ファイバケーブル用分岐具に関する。
【背景技術】
【０００２】
光ファイバを用いた光伝送線路において、例えば、光ファイバネットワークの構築には、光ファイバケーブルを敷設した後、この光ファイバケーブルを途中から分岐させる中間後分岐の技術が用いられている（例えば、特許文献１から５参照）。
【先行技術文献】
【特許文献】
【０００３】
【特許文献１】特開平８−２２０３９０号公報
【特許文献２】特表２００８−５０１１５１号公報
【特許文献３】特表２００８−５０１１５２号公報
【特許文献４】特表２００８−５０１１５３号公報
【特許文献５】特表２００８−５０１１５４号公報
【発明の概要】
【発明が解決しようとする課題】
【０００４】
ところで、上述したような光ファイバケーブルの分岐方法では、光ファイバケーブル用分岐具のサイズが大きいことなどから、特に、多種多様な多数の光ファイバケーブルが密集して配設されている場合において光ファイバケーブルの分岐作業が容易ではなかった。
【０００５】
そこで本発明の目的は、光ファイバケーブルの分岐作業をより容易にして、中間分岐配線時の作業性を向上させる光ファイバケーブル分岐構造体、光ファイバケーブル分岐方法及び光ファイバケーブル用分岐具を提供することである。
【課題を解決するための手段】
【０００６】
本発明に係る光ファイバケーブル分岐構造体は、光ファイバケーブルのシースを所定範囲にわたって除去し、前記シースを除去した部分のケーブルコアにケーブル方向に形成されたスロット溝の溝内から取り出した光ファイバ集合心線に含まれる複数の光ファイバ心線を分岐した光ファイバケーブル分岐構造体であって、前記シースを除去した部分のケーブルコアに取り付けられ、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側の一端に設けられ、前記ケーブルコア挿入溝の溝内から前記表面側へ前記複数の光ファイバ心線を誘導する誘導スリットと、前記表面側に設けられ、前記表面側へ誘導された複数の光ファイバ心線を個別に区分けする光ファイバ隔壁を並列して配置した区画部と、前記誘導スリットから前記区画部へ複数の光ファイバ心線を誘導し、前記区画部側が次第に広くなる誘導部と、を有する光ファイバケーブル用分岐具を備えることを特徴とする。
【０００７】
本発明に係る光ファイバケーブル分岐構造体は、前記スロット溝の溝内から取り出した光ファイバ集合心線から分岐され、前記ケーブルコア挿入溝の溝内から表面側へ前記誘導スリットで誘導され、前記誘導部で前記区画部へ誘導され、前記区画部で個別に区分けされた後、前記分岐具本体の外側へ引き出された複数の光ファイバ心線と、前記分岐具本体の外側へ引き出された複数の光ファイバ心線を被覆して保護する保護チューブと、前記保護チューブを被覆した複数の光ファイバ心線の先端に取り付けられる外皮把持コネクタと、を有する複数の分岐光ファイバ線と、を備えることが好ましい。
【０００８】
本発明に係る光ファイバケーブル分岐方法は、光ファイバケーブルを光ファイバケーブル用分岐具で分岐する光ファイバケーブル分岐方法であって、光ファイバケーブルのシースを剥がした後、剥がしたシースの所定範囲を除去し、前記シースを剥がした部分のケーブルコアにケーブル方向に形成されたスロット溝の溝内から光ファイバ集合心線を取り出し、前記剥がしたシースの所定範囲を除去した残部を前記シースを剥がした部分のケーブルコアに被せ、前記光ファイバ集合心線に含まれる複数の光ファイバ心線を分岐する工程と、前記光ファイバケーブル用分岐具は、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを剥がした部分のケーブルコアを挿入して前記分岐具本体を取り付けるケーブルコア挿入溝と、前記表面側の一端に設けられ、前記ケーブルコア挿入溝の溝内から前記表面側へ前記複数の光ファイバ心線を誘導する誘導スリットと、前記表面側に設けられ、前記表面側へ誘導された複数の光ファイバ心線を個別に区分けする複数の光ファイバ隔壁を並列して配置した区画部と、前記誘導スリットから前記区画部へ複数の光ファイバ心線を誘導し、前記区画部側が次第に広くなる誘導部と、を有し、前記シースを除去した部分のケーブルコアを前記ケーブルコア挿入溝に挿入して前記分岐具本体を取り付け、前記複数の光ファイバ心線を前記ケーブルコア挿入溝の溝内から表面側へ前記誘導スリットで誘導し、表面側へ誘導された複数の光ファイバ心線を前記誘導部で前記区画部へ誘導し、前記区画部へ誘導された光ファイバ心線を前記光ファイバ隔壁で個別に区分けした後、前記分岐具本体の外側へ引き出す工程と、前記分岐具本体の外側へ引き出された複数の光ファイバ心線に保護チューブを被覆する工程と、前記分岐具本体の表面側に、前記保護蓋を取り付ける工程と、前記保護チューブを被覆した複数の光ファイバ心線の先端に外皮把持コネクタを取り付ける工程と、を備えることを特徴とする。
【０００９】
本発明に係る光ファイバケーブル用分岐具は、光ファイバケーブルのシースを所定範囲にわたって除去し、前記シースを除去した部分のケーブルコアにケーブル方向に形成されたスロット溝の溝内から取り出した光ファイバ集合心線に含まれる複数の光ファイバ心線を分岐する光ファイバケーブル用分岐具であって、表面側を凹状に形成した分岐具本体と、前記分岐具本体に着脱可能に設けられ、前記分岐具本体の表面側を覆う保護蓋と、を備え、前記分岐具本体は、背面側に設けられ、前記シースを除去した部分のケーブルコアを挿入して前記分岐具本体を取り付けるケーブルコア挿入溝と、前記表面側の一端に設けられ、前記ケーブルコア挿入溝の溝内から前記表面側へ前記複数の光ファイバ心線を誘導する誘導スリットと、前記表面側に設けられ、前記表面側へ誘導された複数の光ファイバ心線を個別に区分けする光ファイバ隔壁を並列して配置した区画部と、前記誘導スリットから前記区画部へ複数の光ファイバ心線を誘導し、前記区画部側が次第に広くなる誘導部と、を有していることを特徴とする。
【００１０】
本発明に係る光ファイバケーブル用分岐具において、前記ケーブルコア挿入溝は、前記ケーブルコア挿入溝内に凸状に形成され、前記スロット溝に挿入されて前記分岐具本体を位置決めする位置決め凸部を有することが好ましい。
【００１１】
本発明に係る光ファイバケーブル用分岐具において、前記分岐具本体は、前記分岐具本体の両端に設けられ、前記シースを除去した部分のケーブルコアに前記分岐具本体を固定する締結具を取り付ける締結具取り付け部を有することが好ましい。
【発明の効果】
【００１２】
上記構成における光ファイバケーブル分岐構造体、光ファイバケーブル分岐方法及び光ファイバケーブル用分岐具によれば、光ファイバケーブル用分岐具の構造がより簡略であるので、例えば、多種多様な多数の光ファイバケーブルが密集して配設されて空きスペースが小さくなっている場合でも中間後分岐作業がより容易になり作業性が向上する。
【図面の簡単な説明】
【００１３】
【図１】本発明の実施の形態において、光ファイバケーブルの概略構成を示す断面図である。
【図２】本発明の実施の形態において、光ファイバケーブルから光ファイバ集合心線を取り出す手順を示す図である。
【図３】本発明の実施の形態において、光ファイバケーブル用分岐具の構成を示す図である。
【図４】本発明の実施の形態において、分岐具本体の構成を示す平面図である。
【図５】本発明の実施の形態において、分岐具本体の構成を示す底面図である。
【図６】本発明の実施の形態において、分岐具本体の構成を示す側面図である。
【図７】本発明の実施の形態において、保護蓋の構成を示す平面図である。
【図８】本発明の実施の形態において、保護蓋の構成を示す底面図である。
【図９】本発明の実施の形態において、保護蓋の構成を示す側面図である。
【図１０】本発明の実施の形態において、光ファイバケーブルのシースを切断した状態を示す図である。
【図１１】本発明の実施の形態において、ケーブルコアを露出させた状態を示す図である。
【図１２】本発明の実施の形態において、１つの光ファイバ集合心線を取り出した状態を示す図である。
【図１３】本発明の実施の形態において、シースを露出部分のケーブルコアに被せた状態を示す図である。
【図１４】本発明の実施の形態において、光ファイバ集合心線から複数の光ファイバ心線を分岐した状態を示す図である。
【図１５】本発明の実施の形態において、ケーブルコアに分岐具本体を取り付けた状態を示す図である。
【図１６】本発明の実施の形態において、４本の光ファイバ心線に保護チューブを被せる工程を示す図である。
【図１７】本発明の実施の形態において、分岐具本体に保護蓋を被せた状態を示す図である。
【図１８】本発明の実施の形態において、保護チューブに挿入された光ファイバ心線に外皮把持コネクタを取り付けた状態を示す図である。
【発明を実施するための形態】
【００１４】
以下に図面を用いて本発明の実施の形態について説明する。まず、光ファイバケーブル１０の構成について説明する。図１は、光ファイバケーブル１０の概略構成を示す断面図である。光ファイバケーブル１０は、ケーブルコア１２の外周にシース１４が形成された構成を有している。ケーブルコア１２は、スロット溝１６が形成されたスロット部材１８と、スロット溝１６に収容された複数の光ファイバ集合心線２０と、を備えている。スロット溝１６は、ケーブル長さ方向に沿って形成されている。光ファイバ集合心線２０には、複数の単心線である光ファイバ心線２０ａを集合させた光ファイバテープ心線や多心の光ファイバ心線等が用いられる。また、ケーブルコア１２には、抗張力体２２が設けられている。
【００１５】
シース１４の外面には、ケーブル長さ方向に沿って一対の溝状のノッチ１４ｃ（弱化部分）または薄肉部が、周方向に互いに離間して形成され、これらノッチ１４ｃによって、シース１４は周方向に第１部分１４ａと第２部分１４ｂとの２つの部分に区分されている。第１部分１４ａは、ノッチ１４ｃ間の距離が比較的小さい部分であり、第２部分１４ｂは、それ以外の部分であり、断面略Ｃ形になっている。
【００１６】
図２は、光ファイバケーブル１０から光ファイバ集合心線２０を取り出す手順を示す図である。図２（ａ）、図２（ｂ）に示すように、シース１４をカッタ２６で周方向に切断した後、この切断部からノッチ１４ｃでシース１４を引裂くようにして第１部分１４ａを第２部分１４ｂから分離することによって、ケーブルコア１２を露出させる。
【００１７】
次いで、図２（ｃ）、図２（ｄ）に示すように、ケーブルコア１２のスロット溝１６の溝内に収容された複数の光ファイバ集合心線２０のうち一部を切断し、スロット溝１６から取り出すことができる。他の光ファイバ集合心線２０は、スロット溝１６内に残す。そして、剥がした部分の第２部分１４ｂを、再びケーブルコア１２に被せてスロット溝１６を覆うことによって、スロット溝１６内の光ファイバ集合心線２０が外に出るのを防ぐことができる。
【００１８】
次に、光ファイバケーブル用分岐具３０について説明する。
【００１９】
図３は、光ファイバケーブル用分岐具３０の構成を示す図である。光ファイバケーブル用分岐具３０は、表面側を凹状に形成した分岐具本体３２と、分岐具本体３２に着脱可能に設けられ、分岐具本体３２の表面側を覆う保護蓋３４と、を備えている。図４は、分岐具本体３２の構成を示す平面図であり、図５は、分岐具本体３２の構成を示す底面図であり、図６は、分岐具本体３２の構成を示す側面図である。また、図７は、保護蓋３４の構成を示す平面図であり、図８は、保護蓋３４の構成を示す底面図であり、図９は、保護蓋３４の構成を示す側面図である。
【００２０】
図５に示すように、分岐具本体３２は、背面側に設けられ、分岐具本体３２を取り付けるケーブルコア挿入溝３６と、表面側に設けられ、複数の光ファイバ心線２０ａを誘導する誘導スリット３８と、複数の光ファイバ心線２０ａを個別に区分けする区画部４０と、誘導スリット３８から区画部４０へ複数の光ファイバ心線２０ａを誘導する誘導部４２と、分岐具本体３２をケーブルコア１２に締結する締結具を取り付ける締結具取り付け部４４と、を有している。
【００２１】
ケーブルコア挿入溝３６は、分岐具本体３２の背面側に設けられ、シース１４を除去した部分のケーブルコア１２を溝内に挿入して分岐具本体３２を光ファイバケーブル１０に取り付ける機能を有している。ケーブルコア挿入溝３６は、分岐具本体３２の姿勢を安定させてケーブルコア１２に取り付けるため、長尺状に形成される。ケーブルコア挿入溝３６は、ケーブルコア１２を挿入して挟持可能な溝幅で形成される。
【００２２】
ケーブルコア挿入溝３６は、溝内に凸状に形成され、スロット溝１６に挿入されて分岐具本体３２を位置決めする位置決め凸部４６を有している。位置決め凸部４６は、ケーブルコア挿入溝３６の溝幅より小さく、スロット溝１６の溝内に挿入可能な幅で凸状に形成される。
【００２３】
位置決め凸部４６の両側には、位置決め凸部４６に対して略平行方向に、スロット溝１６の縁部を互いに離れた状態に係合保持するスロット溝縁部保持溝４８が設けられる。スロット溝縁部保持溝４８は、ケーブルコア１２に形成したスロット溝１６の対向したスロット溝縁部を互いに離れた状態に係合保持し、互いに離して対向させて設けられる。スロット溝縁部保持溝４８は、スロット溝１６の縁部を挿入して挟持可能な溝幅で形成される。
【００２４】
誘導スリット３８は、分岐具本体３２の表面側の一端に設けられ、光ファイバ集合心線２０から分岐された複数の光ファイバ心線２０ａを、分岐具本体３２の背面側に設けられたケーブルコア挿入溝３６の溝内から分岐具本体３２の表面側へ誘導する機能を有する。誘導スリット３８は、ケーブルコア挿入溝３６の溝内に複数の光ファイバ心線２０ａを分岐具本体３２へ導入する誘導口５０を有している。誘導口５０は、例えば、位置決め凸部４６に形成される。誘導スリット３８は、例えば、所定の傾斜角度でスロープ状に形成される。誘導スリット３８は、複数の光ファイバ心線２０ａを挿入可能なスリット幅で形成される。
【００２５】
誘導部４２は、誘導スリット３８から区画部４０へ複数の光ファイバ心線２０ａを誘導し、区画部４０側が次第に広くなるように形成される。誘導部４２は、誘導スリット３８側から区画部４０側へ向けて、誘導方向に対して直交方向の幅が次第に広くなるようにテーパ状に形成される。
【００２６】
区画部４０は、分岐具本体３２の表面側に設けられ、複数の光ファイバ心線２０ａを個別に区分けする複数の光ファイバ隔壁５２を並列して備えている。複数の光ファイバ隔壁５２は、誘導方向に所定長さで形成され、誘導方向に対して略直交方向に並列に配置される。並列に配置された複数の光ファイバ隔壁５２により、複数の光ファイバ心線２０ａは個別に区分けされる。複数の光ファイバ隔壁５２は、後述するように、光ファイバ心線２０ａを挿入した保護チューブ６２を着脱可能に挿入できる間隔で形成されることが好ましい。
【００２７】
締結具取り付け部４４は、分岐具本体３２の一端と他端とに突出して設けられ、分岐具本体３２をケーブルコア１２に固定する締結具を取り付ける機能を有している。締結具取り付け部４４は、例えば、表面側が略円弧状に形成される。締結具取り付け部４４には、締結具が、例えばスライドして外れないように凸状の締結具外れ止め５４が設けられている。
【００２８】
嵌合突起５６は、分岐具本体３２の両側面に設けられ、保護蓋３４に設けられる嵌合開口５８に嵌め込まれて保護蓋３４を固定する機能を有している。嵌合突起５６は、例えば、分岐具本体３２における両側面の一端と他端とに設けられる。
【００２９】
保護蓋３４は、凹状に形成され、分岐具本体３２に着脱可能に設けられる。保護蓋３４は、分岐具本体３２の表面側を覆い、複数の光ファイバ心線２０ａを保護する機能を有している。保護蓋３４は、誘導スリット３８側から区画部４０側に向かって、誘導方向に対して略直交方向の幅が次第に広くなるようにテーパ状に形成される。保護蓋３４の両側面には、分岐具本体３２の両側面に設けられる嵌合突起５６に嵌め込まれる嵌合開口５８を有している。嵌合開口５８は、例えば、保護蓋３４における両側面の一端と他端とに設けられる。
【００３０】
分岐具本体３２と保護蓋３４とは、例えば、合成樹脂を用いて金型成形される。合成樹脂には、例えば、ポリカーボネート（ＰＣ）樹脂、アクリロニトリルーブタジエンースチレン（ＡＢＳ）共重合樹脂、ＰＣ樹脂とＡＢＳ樹脂とをブレンドした合成樹脂等が用いられる。
【００３１】
次に、光ファイバケーブル１０の分岐方法について説明する。光ファイバケーブル１０の分岐方法は、例えば、屋内に敷設された光ファイバケーブル１０の分岐作業に用いられる。
【００３２】
まず、光ファイバケーブル１０におけるシース１４の所定部分が切断される。図１０は、光ファイバケーブル１０のシース１４を切断した状態を示す図である。光ファイバケーブル１０のシース１４は、カッタ２６等で切断される。シース１４切断後の光ファイバケーブル１０には、切断部１４ｄが形成される。
【００３３】
次に、所定部位のシース１４を剥離して剥がし、剥がしたシース１４の所定範囲をカットして除去し、ケーブルコア１２を露出させる。図１１は、ケーブルコア１２を露出させた状態を示す図である。シース１４の切断部１４ｄから所定長さの部分のシース１４にケーブル長さ方向の切れ目を入れ、この部分のシース１４を剥がしてケーブルコア１２を露出させる。例えば、図１及び図２に示すように、第１部分１４ａをノッチ１４ｃに沿って第２部分１４ｂから分離することによって、シース１４をケーブルコア１２から剥離させ、ケーブルコア１２を露出させることができる。剥がした部分のシース１４は、作業の邪魔にならないように、作業に関与しない部分のシース１４などに仮止めしておくことが好ましい。
【００３４】
次に、ケーブルコア１２から１つの光ファイバ集合心線２０を取り出す。図１２は、１つの光ファイバ集合心線２０を取り出した状態を示す図である。図１２に示すように、シース１４を剥がした部分のケーブルコア１２にケーブル方向に形成されたスロット溝１６の溝内に収容された複数の光ファイバ集合心線２０のうち一部を切断し、スロット溝１６から１本の光ファイバ集合心線２０を取り出す。
【００３５】
１本の光ファイバ集合心線２０を取り出した後、上述の剥がしたシース１４の所定範囲を除去した残部を露出部分のケーブルコア１２に被せる。図１３は、シース１４を露出部分のケーブルコア１２に被せた状態を示す図である。このように、シース１４の先端から所定長さの部分である所定範囲を切除することによって、シース１４が光ファイバケーブル用分岐具３０に接触しないようにすることができる。ケーブルコア１２に被せたシース１４は、テープ状固定具などによりケーブルコア１２に固定することができる。後述するように、光ファイバケーブル用分岐具３０は、シース１４の一部削除により露出された部分のケーブルコア１２に取り付けられる。
【００３６】
次に、取り出した１本の光ファイバ集合心線２０から複数の光ファイバ心線２０ａを分岐する。図１４は、光ファイバ集合心線２０から複数の光ファイバ心線２０ａを分岐した状態を示す図である。図１４に示すように、１つの光ファイバ集合心線２０から、例えば、４本の単心線である光ファイバ心線２０ａを分岐する。
【００３７】
次に、シース１４を除去したケーブルコア１２に分岐具本体３２を取り付ける。図１５は、ケーブルコア１２に分岐具本体３２を取り付けた状態を示す図である。分岐具本体３２は、その背面側をケーブルコア１２に向けて取り付けられる。位置決め凸部４６をスロット溝１６に挿入し、ケーブルコア挿入溝３６にケーブルコア１２を挿入する。それにより、分岐具本体３２は、ケーブルコア１２の軸方向と略一致するように位置決めされて光ファイバケーブル１０に配置される。また、位置決め凸部４６をスロット溝１６に挿入することにより、分岐具本体３２の姿勢をより安定させることができる。
【００３８】
分岐具本体３２は、締結具６０でケーブルコア１２に締結されて固定される。締結具６０には、例えば、係止穴を有する係止部がバンドの一端に設けられ、バンドを係止穴に通して任意の位置で係止可能な構造（例えば、いわゆるインシュロックタイ）などの結束具が採用できる。バンドが、分岐具本体３２の締結具取り付け部４４と、ケーブルコア１２と、に一括して巻き付けられ、分岐具本体３２がケーブルコア１２に締め付け固定された状態でバンドが係止部により係止されている。この際、バンドを、締結具取り付け部４４に設けられた締結具外れ止め５４の内側に巻き付けることにより、バンドの鉛直方向における上下方向の移動を規制し、分岐具本体３２の脱落をより確実に防止できる。
【００３９】
なお、締結具６０としては、分岐具本体３２をケーブルコア１２に締結することができるものであれば特に限定されることはなく、分岐具本体３２に、ケーブルコア１２を保持する機能を与えることもできる。例えば、保持片、係止爪、クリップ部などによりケーブルコア１２に係止可能とすることができる。
【００４０】
４本の光ファイバ心線２０ａは、分岐具本体３２の背面側に設けられたケーブルコア挿入溝３６の溝内に形成された誘導口５０から分岐具本体３２に導入され、分岐具本体３２の表面側へ誘導スリット３８で誘導される。そして、４本の光ファイバ心線２０ａは、誘導部４２を経由して区画部４０へ誘導される。区画部４０に誘導された４本の光ファイバ心線２０ａは、誘導方向に対して略直交方向に並列に設けられた複数の光ファイバ隔壁５２により個別に区分けされる。区分けされた４本の光ファイバ心線２０ａは、分岐具本体３２の外側へ引き出される。
【００４１】
次に、４本の光ファイバ心線２０ａに保護チューブ６２を被せる。図１６は、４本の光ファイバ心線２０ａに保護チューブ６２を被せる工程を示す図である。分岐具本体３２から外側に引き出され光ファイバ心線２０ａの露出した部位を保護するため、光ファイバ心線２０ａに、インドアチューブ等の保護チューブ６２を被覆する。保護チューブ６２は、光ファイバ心線２０ａを保護するものであって、合成樹脂等で形成され、可とう性を有するものが好ましい。保護チューブ６２を、分岐具本体３２の外側に引き出されて露出された光ファイバ心線２０ａの長さにわたって設けることにより、光ファイバ心線２０ａの光特性を良好に維持できる。保護チューブ６２は、光ファイバ心線２０ａを挿入可能な内径を有している。光ファイバ心線２０ａが挿入された保護チューブ６２の一方の端部は、区画部４０に設けられた光ファイバ隔壁５２に挟持されて保持される。なお、保護チューブ６２は、その弾性により区画部４０に着脱可能であることが好ましい。
【００４２】
次に、分岐具本体３２に保護蓋３４を被せる。図１７は、分岐具本体３２に保護蓋３４を被せた状態を示す図である。分岐具本体３２の両側面に設けられた嵌合突起５６と、保護蓋３４の両側面に設けられた嵌合開口５８と、を嵌め合せることにより、保護蓋３４が分岐具本体３２に取り付けられて固定される。これにより分岐具本体３２の内側に位置している複数の光ファイバ心線２０ａの部位が保護される。
【００４３】
次に、保護チューブ６２で被覆した光ファイバ心線２０ａの他端に外皮把持コネクタが取り付けられて分岐光ファイバ線が形成される。図１８は、保護チューブ６２で被覆した光ファイバ心線２０ａに外皮把持コネクタ６４を取り付けた状態を示す図である。保護チューブ６２で被覆した光ファイバ心線２０ａの他端に外皮把持コネクタ６４を取り付けることにより、４本の分岐光ファイバ線６６が形成される。また、保護チューブ６２で被覆した光ファイバ心線２０ａの他端に外皮把持コネクタ６４を取り付けることにより、光ファイバ心線２０ａの露出が抑えられ、安全性が確保される。外皮把持コネクタ６４には、例えば、コネクタ嵌合部と、メカニカルスプライス部と、ケーブル外皮把持部と、を備えた現場付けコネクタが用いられる。コネクタ嵌合部には、光ファイバが内蔵されており、メカニカルスプライス部には屈折率整合剤が入っており、内蔵光ファイバに、ケーブル外皮把持部の外皮把持部材で外皮把持された光ファイバを接続することにより外皮把持コネクタ６４が組み立てられる。このような外皮把持コネクタ６４を用いることにより、現場での作業性をより向上させることができる。勿論、保護チューブ６２で被覆した光ファイバ心線２０ａの他端に取り付けられるコネクタは、外皮把持コネクタ６４に限定されることはない。以上により光ファイバケーブル１０の分岐作業が完了し、光ファイバケーブル分岐構造体７０が形成される。
【００４４】
なお、光ファイバケーブル用分岐具３０の増設により分岐数を増やすこともできる。光ファイバケーブル１０のケーブルの長さ方向に複数の光ファイバケーブル用分岐具３０を設けることにより同様の手順で光ファイバケーブル１０を分岐することができる。このように、ケーブルコア１２に、長さ方向に位置を違えて複数の光ファイバケーブル用分岐具３０を取り付けることにより、利用者数に応じた分岐数の増加に対してもより容易に対応することができる。
【００４５】
上記構成によれば、光ファイバケーブル用分岐具の構造が簡略であり、分岐具のサイズをより小さくできるので、ケーブルシャフトの幅をより狭くでき省スペース化が可能である。そのため、多種多様な多数の光ファイバケーブルが密集して配設されて空きスペースが小さくなっている場合でも中間後分岐作業の作業性や保守性が向上する。また、分岐作業後の状態がコンパクトであり、他のケーブルの後増設にも支障が無い。
【００４６】
上記構成によれば、中間後分岐作業のために剥いだシースの大部分を再利用しているので、中間後分岐作業の作業コストを抑えることができる。
【符号の説明】
【００４７】
１０  光ファイバケーブル
１２  ケーブルコア
１４  シース
１６  スロット溝
１８  スロット部材
２０  光ファイバ集合心線
２２  抗張力体
２６  カッタ
３０  光ファイバケーブル用分岐具
３２  分岐具本体
３４  保護蓋
３６  ケーブルコア挿入溝
３８  誘導スリット
４０  区画部
４２  誘導部
４４  締結具取り付け部
４６  位置決め凸部
４８  スロット溝縁部保持溝
５０  誘導口
５２  光ファイバ隔壁
５４  締結具外れ止め
５６  嵌合突起
５８  嵌合開口
６０  締結具
６２  保護チューブ
６４  外皮把持コネクタ
６６  分岐光ファイバ線
７０  光ファイバケーブル分岐構造体
【図１】
2010243836.tif 000003
【図２】
2010243836.tif 000004
【図３】
2010243836.tif 000005
【図４】
2010243836.tif 000006
【図５】
2010243836.tif 000007
【図６】
2010243836.tif 000008
【図７】
2010243836.tif 000009
【図８】
2010243836.tif 000010
【図９】
2010243836.tif 000011
【図１０】
2010243836.tif 000012
【図１１】
2010243836.tif 000013
【図１２】
2010243836.tif 000014
【図１３】
2010243836.tif 000015
【図１４】
2010243836.tif 000016
【図１５】
2010243836.tif 000017
【図１６】
2010243836.tif 000018
【図１７】
2010243836.tif 000019
【図１８】
2010243836.tif 000020